(57)【要約】【課題】装置の軽量化と共に容易に取り扱えるような簡単な構成にすることで、接地面が傾斜面、凹凸面、滑りやすい又は柔軟な状態でも安定して設置することができ、地面等から重量物の底面との間隔が狭い場合でも重量物Ｈに容易に取り付けられ、これを持ち上げられる。【解決手段】シリンダ３内で上下動するロッド４とから成るアウトリガー本体５と、ロッド４を離間又は近接させてシリンダ３を上下動させる駆動機構２と、アウトリガー本体５の上下動する部材に設けられた、重量物Ｈを引っ掛けるフック部材６と、アウトリガー本体５の上下動しない部材の下端部に、首振り自在に取り付けられたスタンド７とを備えた。【選択図】図１
2019014564.tif 000002
【特許請求の範囲】
【請求項１】
プレハブ家屋、コンテナ、パレットのような重量物（Ｈ）を移動又は設置する際に使用する設置・移動用アウトリガー（１）であって、
シリンダ（３）と、該シリンダ（３）内で上下動するロッド（４）とから成るアウトリガー本体（５）と、
前記シリンダ（３）に取り付けられ、前記ロッド（４）を離間又は近接させて該シリンダ（３）を上下動させる駆動機構（２）と、
前記アウトリガー本体（５）の上下動する部材に設けられた、重量物（Ｈ）を引っ掛けるフック部材（６）と、
前記アウトリガー本体（５）の上下動しない部材の下端部に、首振り自在に取り付けられたスタンド（７）と、を備えた、ことを特徴とする設置・移動用アウトリガー。
【請求項２】
前記駆動機構（２）は、
前記シリンダ（３）内において、該シリンダ（３）の上部に回動中心がシリンダ（３）の長手方向になるように取り付けられた第１ギヤ（１１）と、
該第１ギヤ（１１）の回動軸に連結された、前記ロッド（４）の長手方向に延びる棒状の雄ねじ部（１２）と、
前記シリンダ（３）内において上下動のみ自在になり、一端に前記ロッド（４）の上部と連結し、前記雄ねじ部（１２）と噛合する筒状の雌ねじ部（１４）と、
前記第１ギヤ（１１）と噛合する第２ギヤ（１３）を回動させる、該シリンダ（３）外に取り付けられたハンドル（８）と、から成り、
該ハンドル（８）を回動させると、第１ギヤ（１１）と共に回動する雄ねじ部（１２）が、雌ねじ部（１４）を上下動させ、前記シリンダ（３）内においてロッド（４）を上下動させる構成になる、ことを特徴とする請求項１の設置・移動用アウトリガー。
【請求項３】
前記駆動機構（２）は、
前記シリンダ（３）内において前記ロッド（４）を上下動させる作動油と、
前記作動油を前記シリンダ（３）内に吸引、吐出させるために、レバー（４４）動作によりプランジャピストンを前後させて該作動油を吸引、吐出させるポンプ（４３）と、から成る、ことを特徴とする請求項１の設置・移動用アウトリガー。
【請求項４】
前記スタンド（７）は、透孔（２２）が開けられた板材（２３）を、複数枚を分離自在に重ね合わせたものである、ことを特徴とする請求項１、２又は３の設置・移動用アウトリガー。
【請求項５】
前記スタンド（７）の底面の板材（２３）に滑り止め（３１）を着脱自在に取り付けた、ことを特徴とする請求項１、２又は３の設置・移動用アウトリガー。
【請求項６】
前記スタンド（７）にキャスター（３２）を取り付けた、ことを特徴とする請求項１、２又は３の設置・移動用アウトリガー。
【請求項７】
前記フック部材（６）は、重量物（Ｈ）の下部と壁面の２面に同時に当てた状態で取り付けられるように、フック部（１５）の上部に連続して縦部材（１６）が形成されたものである、ことを特徴とする請求項１、２、３、４、５又は６の設置・移動用アウトリガー。
【請求項８】
前記フック部材（６）のフック部（３３）は、厚みの異なる種々の重量物（Ｈ）の下部形状に適合できるように、上方向に徐々に拡開傾斜した形状に形成されたものである、ことを特徴とする請求項１、２、３、４、５、６又は７の設置・移動用アウトリガー。
【発明の詳細な説明】
【技術分野】
【０００１】
本発明は、プレハブ家屋、コンテナ、物流用パレットのような重量物を移動させ、それを設置する際に用いる設置・移動用アウトリガーに係り、特に接地面が傾斜面、凹凸面、滑りやすい面又は柔軟ないずれの状態でも安定して設置することができる設置・移動用アウトリガーに関する。
【背景技術】
【０００２】
従来より、プレハブ工法による店舗、家屋、倉庫又はコンテナなどの重量物を、イベント会場、公園、倉庫などの所定の場所に設置する際に、ユニック、クレーン車などを用いていた。これらの重量物を運搬してきたトラック、トレーラーから下して現地に仮設置し、その後フォークリフトを用いて所定の位置に移動し、その場所に設置していた。
荷物、貨物を移動させる物流用パレット等についても、フォークリフトを用いて倉庫、店舗などの所定の場所に移動し、その場所に設置していた。
【０００３】
現地にフォークリフトが無い場合では、仮設置した重量物について、平滑に舗装された場所ではある程度は手動で移動して設置できる。しかし、平滑に舗装されていない場所では、手動での移動や微調整が困難になる場合があった。また、重量物でもプレハブ工法による店舗、家屋については、ゴルフ場、公園等の傾斜している場所、又は芝生などの柔軟な地面への設置では重量物の下に板材、鉄板などを敷いてその接地面の状況に応じて調整していた。また、地面の沈下を防止して、店舗、家屋が水平になるようにしていた。
【０００４】
このような重量物を設置する際に、その接地高さが相違する場所であっても安定した状態に維持する技術が種々提案されている。例えば、特許文献１の特開２００５−２８０３８９号公報「ランディングギア装置及びアウトリガー装置」のように、車両に搭載されるアウトリガー装置であって、入力軸と、上下移動自在な脚部をそれぞれ有し、離間して配置された２本の補助脚と、前記脚部のそれぞれに連結され、前記脚部の上下移動に伴って回転する２本の出力軸と、前記入力軸と前記２本の出力軸とを連結し、前記入力軸の回転力を前記２本の出力軸にそれぞれ伝達するディファレンシャルギアとを備えたアウトリガー装置が提案されている。
【先行技術文献】
【特許文献】
【０００５】
【特許文献１】特開２００５−２８０３８９号公報
【発明の概要】
【発明が解決しようとする課題】
【０００６】
しかし、特許文献１の「ランディングギア装置及びアウトリガー装置」は、セミトレーラのトレーラを駐車するためのランディングギア装置である。この特許文献１の技術は、トレーラのような大型の車両に合わせたもので、プレハブ工法による店舗、家屋、倉庫又はコンテナなどの重量物には用いることができなかった。当然に装置自体も大型のもので、簡単に持ち運ぶことができないという問題を有していた。
【０００７】
なお、大きな段差がある場合は、その高さ調節に自動車用のジャッキを用いることも可能である。しかし、ジャッキは持ち上げる重量物の真下に配置する必要がある。その配置できる高さ（空間）がないと使用できなかった。例えば、緩やかな傾斜地程度の段差では、そこにジャッキ又はアウトリガーを入れることはできなかった。
【０００８】
また、従来のジャッキ又はアウトリガーは、道路上において利用するものであるため、その地面に接地するスタンド部分が固い地面に対応するようになっている。ジャッキ又はアウトリガーのスタンド部分の構成は、小さなものが多かった。これは、自動車のトランク内に収納できるようにするためである。同様に、店舗、家屋、倉庫又はコンテナなどの重量物の載せる個所も小さいものが多かった。このようなに、支える部分（スタンド部分）と載せる部分が共に小さいと、重量物を安定した状態で支えることができないという問題を有していた。
【０００９】
本発明は、かかる問題点を解決するために創案されたものである。すなわち、本発明の目的は、装置の軽量化と共に容易に取り扱えるような構成にすることで、接地面が傾斜面、凹凸面、滑りやすい又は柔軟な状態でも安定して設置することができ、地面等から重量物の底面との間隔が狭い場合でも容易に取り付けられ、持ち上げられる設置・移動用アウトリガーを提供することにある。
【課題を解決するための手段】
【００１０】
本発明は、プレハブ家屋、コンテナ、パレットのような重量物（Ｈ）を移動又は設置する際に使用する設置・移動用アウトリガー（１）であって、
シリンダ（３）と、該シリンダ（３）内で上下動するロッド（４）とから成るアウトリガー本体（５）と、
前記シリンダ（３）に取り付けられ、前記ロッド（４）を離間又は近接させて該シリンダ（３）を上下動させる駆動機構（２）と、
前記アウトリガー本体（５）の上下動する部材に取り付けられた、重量物（Ｈ）を引っ掛けるフック部材（６）と、
前記アウトリガー本体（５）の上下動しない部材の下端部に、首振り自在に取り付けられたスタンド（７）と、を備えた、ことを特徴とする。
【００１１】
例えば、前記駆動機構（２）は、
前記シリンダ（３）内において、該シリンダ（３）の上部に回動中心がシリンダ（３）の長手方向になるように取り付けられた第１ギヤ（１１）と、
該第１ギヤ（１１）の回動軸に連結された、前記ロッド（４）の長手方向に延びる棒状の雄ねじ部（１２）と、
前記シリンダ（３）内において上下動のみ自在になり、一端に前記ロッド（４）の上部と連結し、前記雄ねじ部（１２）と噛合する筒状の雌ねじ部（１４）と、
前記第１ギヤ（１１）と噛合する第２ギヤ（１３）を回動させる、該シリンダ（３）外に取り付けられたハンドル（８）と、から成る、ものである。
【００１２】
また、前記駆動機構（２）は、
前記シリンダ（３）内において前記ロッド（４）を上下動させる作動油と、
前記作動油を前記シリンダ（３）内に吸引、吐出させるために、レバー（４４）の動作によりプランジャピストンを前後させて該作動油を吸引、吐出させるポンプ（４３）と、から成る、ものである。
【００１３】
前記スタンド（７）は、透孔（２２）が開けられた板材（２３）を、複数枚分離自在に重ね合わせたものである。
前記スタンド（７）の底面の板材（２３）に滑り止め（３１）を着脱自在に取り付けたものである。
前記スタンド（７）にキャスター（３２）を取り付けたものである。
【００１４】
前記フック部材（６）は、重量物Ｈの下部と壁面の２面に同時に当てた状態で取り付けられるように、フック部（１５）の上部に連続して縦部材（１６）が形成されたものである。
前記フック部材（６）のフック部（１５）は、厚みの異なる種々の重量物の下部形状に適合できるように、上方向に徐々に拡開傾斜した形状に形成されたものである。
【発明の効果】
【００１５】
本発明の設置・移動用アウトリガー（１）では、使用の際には、設置・移動するプレハブ家屋、コンテナ、パレットのような重量物（Ｈ）の下部にフック部材（６）を掛け止める。この状態でハンドル（８）を回すと、アウトリガー本体（５）を構成するシリンダ（３）からロッド（４）を離間又は近接させることにより、このシリンダ（３）に取り付けられたフック部材（６）は上下動する。そこで、フック部材（６）の上下動に応じて重量物（Ｈ）を上昇させ、又は下降させることができる。
【００１６】
アウトリガー本体（５）の下部（ロッド（４）下端部）には、スタンド７が首振り自在に取り付けられている。このスタンド（７）の首振りにより、接地面が傾斜面、凹凸面がある状態でも安定して、設置・移動用アウトリガー（１）を設置できる。更に、このスタンド（７）は、アウトリガー本体（５）の長さと比較して広い平坦面を有する。そこで、このスタンド（７）の面積が広いことにより、接地面が滑りやすい又は柔軟ないずれの状態でも安定して、設置・移動用アウトリガー（１）を設置できる。
【００１７】
スタンド（７）は透孔（２２）が開けられた板材（２３）が複数枚を分離自在に重ね合わせたものである。そこで、接地面が平坦な場合は、板材（２３）を重ね合わせた状態で使用する。接地面が芝生のような柔軟な場合は、滑り止め（３１）をスタンド（７）の板材（２３）に複数個取り付けたものを使用する。スタンド（７）の板材（２３）にキャスター（３２）を取り付けることができる。更に、スタンド（７）に代えてキャスター（３２）を取り付けたものにすることで、重量物（Ｈ）を容易に移動させることもできる。スタンド（７）は、重量物（Ｈ）を移動し、設置する場所に応じて適切な状態の板材（２３）を使用することができる。
【００１８】
フック部（１５）の上部に連続して縦部材（１６）が形成されたフック部材（６）では、重量物（Ｈ）の下部と壁面の２面に同時に当てることで、設置・移動用アウトリガー（１）を安定した状態で取り付けて使用することができる。２ヶ所で重量物（Ｈ）を支えるため、安定した状態で、重量物（Ｈ）を移動させ、設置することができる。
前記フック部材（６）のフック部（３３）が、縦部材（１６）面から離れるように上方向に徐々に拡開傾斜した形状に形成されたものでは、厚みの異なる種々の重量物（Ｈ）の下部形状に適合できる。そこで、種々の形状の重量物（Ｈ）に取り付けることができる。
【図面の簡単な説明】
【００１９】
【図１】実施例１の設置・移動用アウトリガーを示し、（ａ）は正面図、（ｂ）は側面図である。
【図２】実施例１の設置・移動用アウトリガーのギヤ構成の駆動機構を示す部分断面図である。
【図３】スタンドの構成を示し、（ａ）は平面図、（ｂ）は側面図である。
【図４】本発明の設置・移動用アウトリガーの動作状態を示す側面図であり、（ａ）はフック部材を上昇させる前の状態、（ｂ）はフック部材を上昇させた状態である。
【図５】本発明の設置・移動用アウトリガーをコンテナに取り付けて使用する状態を示す説明斜視図であり、（ａ）はコンテナの表側、（ｂ）はコンテナの裏側である。
【図６】スタンドの変形例１の構成を示し、（ａ）は側面図、（ｂ）は底面図である。
【図７】スタンドの下部にキャスターを取り付けた状態のスタンドの変形例２の構成を示す側面図である。
【図８】スタンドを外し、ロッドの下部にキャスターを取り付けた状態のスタンドの変形例３の構成を示す側面図である。
【図９】フック部材の変形例を示す側面図である。
【図１０】実施例２の油圧構成の駆動機構から成る設置・移動用アウトリガーを示す部分断面図である。
【発明を実施するための形態】
【００２０】
本発明の設置・移動用アウトリガーは、アウトリガー本体と、ロッドを離間又は近接させてシリンダを上下動させる駆動機構と、アウトリガー本体の上下動する部材に取り付けられた、重量物を引っ掛けるフック部材と、アウトリガー本体の上下動しない部材の下端部に、首振り自在に取り付けられたスタンドと、を備えたものである。
【実施例１】
【００２１】
＜設置・移動用アウトリガーの構成＞
以下、本発明の実施の形態について図面を参照して説明する。
図１は実施例１の設置・移動用アウトリガーを示し、（ａ）は正面図、（ｂ）は側面図である。図２は実施例１の設置・移動用アウトリガーのギヤ構成の駆動機構を示す部分断面図である。
実施例１の設置・移動用アウトリガー１は、重量物Ｈを移動又は設置する際に使用するアウトリガーであり、その駆動機構２がギヤ構成のものである。重量物Ｈとはプレハブ家屋、コンテナ、パレットなどをいう。
【００２２】
実施例１の設置・移動用アウトリガー１は、アウトリガー本体５、フック部材６とスタンド７を備えたものである。アウトリガー本体５はシリンダ３内でロッド４が上下動する部材である。このシリンダ３には、ロッド４を離間又は近接させてシリンダ３を上下動させるギヤ構成の駆動機構２が取り付けられている。更に、シリンダ３には、重量物Ｈを引っ掛けるフック部材６が取り付けられている。一方、ロッド４には、その下端部にスタンド７が首振り自在に取り付けられている。
【００２３】
アウトリガー本体５は、シリンダ３内にロッド４が上下動するようになる部材である。なお、アウトリガー本体５は、上側にシリンダ３を下側にロッド４を配置した構成を示したが、これは一例である。この逆配置である上側にロッド４を下側にシリンダ３を配置したものでもよい。更には、駆動機構２により２本の部材が伸縮する構成であれば、シリンダ３とロッド４との構成に限定されない。単純に２本の棒状部材に駆動機構２を備えた構成でもよい。
【００２４】
シリンダ３には、ロッド４を上下動させる駆動機構２が備えられている。この駆動機構２を駆動させるハンドル８が取り付けられている。このハンドル８はクランク部９とグリップ１０とから成り、シリンダ３から着脱自在に取り外せる構成になる。このハンドル８の構成も一例である。例えば、このハンドル８に代えてモータ駆動（図示していない）にすることも可能である。
【００２５】
＜駆動機構の構成＞
シリンダ３内に取り付けられた駆動機構２は、ロッド４を離間又は近接させてシリンダ３を上下動させる構成のものである。図２に示すように、実施例１の駆動機構２は、シリンダ３の上部に回動中心がシリンダ３の長手方向になるように取り付けられた第１ギヤ１１と、この第１ギヤ１１の回動軸に連結された、ロッド４の長手方向の下方に延びる棒状の雄ねじ部１２と、を有する。
【００２６】
第１ギヤ１１は、シリンダ３外に取り付けられたハンドル８により回動する第２ギヤ１３と噛合する。例えば、第１ギヤ１１と第２ギヤ１３には、かさ歯車を用いることができる。２軸が交差する状態に配置されるギヤであれば、かさ歯車以外に、ハイポイドギヤ、ウォームギヤ・ウォームホイールなどを用いることができる。
【００２７】
棒状の雄ねじ部１２は、筒状の雌ねじ部１４と噛合する。この雄ねじ部１２の一端にロッド４の上部が連結されている。雌ねじ部１４は、シリンダ３内において上下動のみ自在になる。この雌ねじ部１４は噛合する雄ねじ部１２の回動により、シリンダ３内において上下動させられ、ロッド４がシリンダ３内において上下動する。
【００２８】
第１ギヤ１１に噛合する第２ギヤ１３は、シリンダ３外に取り付けられたハンドル８を回すことで回動させることができる。このハンドル８は、ロッド４側から荷重が加えられても、筒状の雌ねじ部１４と噛合する棒状の雄ねじ部１２では、差動しないので、アウトリガー本体５が降下することはない。このように、ロッド４に外力が加わったときに、ロッド４が不用意に動作しないようになっている。
なお、図２のような構成は、一例であって、更に従動側から荷重が掛っても、能動側が動作しないギヤ構成であれば、図示するような構成に限定されないことは勿論である。
【００２９】
＜フック部材の構成＞
フック部材６は重量物Ｈを引っ掛ける部材である。フック部材６は、シリンダ３と共に上下動する部材である。本発明のフック部材６は、図１（ａ）、（ｂ）に示すように、重量物Ｈの下部と壁面の２面に同時に当たり安定した状態で掛け止められるように、フック部１５の上部に連続して縦部材１６が形成されている。そこで、フック部材６の縦部材１６の上部は鉤状に形成され、飛び出した部分１６ａがシリンダ３の上端部に被さるように取り付けられている（図１（ｂ）参照）。フック部材６の縦部材１６の中間位置に、取付具１７を介してシリンダ３に取り付けられている。
【００３０】
フック部材６の縦部材１６のフック部１５側には、この縦部材１６には、容易にボルト固定できるねじ孔１８が複数開けられている。また、重量物Ｈとしてのプレハブ家屋、コンテナＣなどの壁面に傷がつかないように、これらのねじ孔１８と干渉しないように、合成樹脂製の緩衝材１９が貼られている。
【００３１】
フック部材６の縦部材１６の上部には、ロープ掛止め孔２０が設けられている。このロープ掛止め孔２０は、後述する図５に示すように、本発明の設置・移動用アウトリガー１をコンテナＣなどに取り付けたときに、不意に転倒し、外れることを防止する効果がある。図５に示すように、コンテナＣの上部に取り付けられた掛止めリングＣ１にロープＲの一端を掛け、そのロープＲの他端をこのロープ掛止め孔２０に締結することで本発明の設置・移動用アウトリガー１が不用意に転倒することを防止できる。
【００３２】
＜スタンドの構成＞
図３はスタンドの構成を示し、（ａ）は平面図、（ｂ）は側面図である。
スタンド７はロッド４の下端部に、首振り自在に取り付けられたものである。例えば、ボールジョイント２１を用いてロッド４の下端部に取り付けられる。このボールジョイント２１の作動角は１０度程度を有すれば十分である。設置・移動用アウトリガー１のスタンド７を、緩やかな傾斜地に接地させ、その状態で安定できれば十分だからである。勿論、設置・移動用アウトリガー１の設置場所に応じて、ボールジョイント２１の作動角を１０度以上にすることは可能である。
【００３３】
本発明のスタンド７は、透孔２２が開けられた板材２３を複数枚分離自在に重ね合わせたものである。これらの透孔２２にボルト２４を螺合することで、複数枚の板材２３を固定するためである。例えばこの板材２３はアルミのような軽量な素材のものがよい。なお、図示例では５枚の板材２３を重ねた状態を示しているが、この５枚に限定されないことは勿論である。
【００３４】
スタンド７を構成する１枚の板材２３には、本発明の設置・移動用アウトリガー１を移動させる際に把持するための把手２５を側方へ突出するように形成してある。図示例では５枚の板材２３の中間に、把手２５が形成された板材２３を配置した状態を示している。しかし、この配置状態は一例であって、この位置に限定されない。また、この把手２５が形成された板材２３を必ずしも使用する必要はない。
【００３５】
＜動作状態の説明＞
図４は本発明の設置・移動用アウトリガーの動作状態を示す側面図であり、（ａ）はフック部材を上昇させる前の状態、（ｂ）はフック部材を上昇させた状態である。
本発明の設置・移動用アウトリガー１では、使用の際には、設置・移動するプレハブ家屋、コンテナ、パレットのような重量物Ｈの下部にフック部材６を掛け止める。この状態でハンドル８を回すと、アウトリガー本体５を構成するシリンダ３からロッド４を離間させることによりシリンダ３が上昇する。このシリンダ３に取り付けられたフック部材６も上昇する（図４（ｂ）の状態）。そこで、フック部材６の上昇に応じて重量物Ｈを持ち上げることができる。
【００３６】
次に、この状態からハンドル８を逆に回すと、駆動機構２によりロッド４をシリンダ３に近接させることにより、シリンダ３が下降する。このシリンダ３に取り付けられたフック部材６も下降する（図４（ｂ）から図４（ａ）の状態）。そこで、フック部材６を重量物Ｈから外すことができる。
【００３７】
図示するように、スタンド７の底面からフック部材６のフック部１５の上端までの間隔（ｄ１）が、設置する接地面から重量物Ｈの下縁部までの距離となる。また、重量物Ｈを上下動させる間隔（ｄ２）は、この間隔（ｄ１）の約４倍程度あれば十分である、これ以上の間隔は傾斜面が急傾斜を意味し、本発明の設置・移動用アウトリガー１が、重量物Ｈを安定した状態で設置することができなくなるからである。
【００３８】
＜使用例の説明＞
図５は本発明の設置・移動用アウトリガーをコンテナに取り付けて使用する状態を示す説明斜視図であり、（ａ）はコンテナの表側、（ｂ）はコンテナの裏側である。
本発明の設置・移動用アウトリガー１を重量物ＨのコンテナＣに取り付けて使用するときは、設置・移動用アウトリガー１を４基使用する。図示例では傾斜面にコンテナＣを設置した状態を説明する。この傾斜面は、紙面の手前側（正面側）が高く、紙面の後側（背面側）が低い、なだらかな傾斜面である。このような傾斜面にコンテナＣを設置した状態である。
【００３９】
図５（ａ）に示すように、コンテナＣの表側には、フック部材６が下降した状態で、これをコンテナＣの下部に掛け止める。図５（ｂ）に示すように、コンテナＣの裏側には、フック部材６が上昇した状態で、これをコンテナＣの下部に掛け止めている。図示例ではコンテナＣの４ヶ所に掛け止めているが、接地面の状況に応じて、６か所又は３カ所と適宜変更できる。
【００４０】
＜スタンドの変形例１の構成＞
図６はスタンドの変形例１の構成を示し、（ａ）は側面図、（ｂ）は底面図である。
スタンドの変形例１は、スタンド７の底面の板材２３に滑り止め３１を着脱自在に取り付けたものである。図示例の滑り止め３１は、強靭なプラスチックの素材で、下向きのカップ形状をした部材である。接地面が芝生のような柔軟な場合に適している。また、室内の床が滑りやすい接地面のときにも適している。
図示例では、滑り止め３１を板材２３の透孔２２に部分的に取り付けた。滑り止め３１は、必ずしも全ての透孔２２に取り付ける必要はない。スタンド７が接地面に対して安定した状態になるようにすればよいので、スタンド７（板材２３）の中心点から点対称に滑り止め３１を配置することが好ましい。
【００４１】
＜スタンドの変形例２の構成＞
図７はスタンドの下部にキャスターを取り付けた状態のスタンドの変形例２の構成を示す側面図である。
本発明の設置・移動用アウトリガー１を用いて、プレハブ家屋、コンテナ、パレットのような重量物を移動する際には、スタンド７の変形例２のようにスタンド７の底面の板材２３にキャスター３２を取り付けたものを用いる。例えば、このキャスター３２は、板材２３に数か所開けられた透孔２２にキャスター３２の基部を螺合させるだけで、板状のスタンド７からキャスター３２に変えることができる。
【００４２】
＜スタンドの変形例３の構成＞
図８はスタンドを外し、ロッドの下部にキャスターを取り付けた状態のスタンドの変形例３の構成を示す正面図である。
本発明の設置・移動用アウトリガー１を主に重量物Ｈの移動の際に用いるときは、スタンドの変形例３のように、スタンド７に代えて、ロッド４の下部に直接キャスター３２を取り付ける。このように構成された設置・移動用アウトリガー１では、スタンド７がないために軽量になり、移動用補助具として利用しやすくなる。
【００４３】
＜フック部材の変形例の構成＞
図９はフック部材の変形例を示す側面図である。
フック部材６のフック部３３は、厚みの異なる種々の重量物Ｈの下部形状に適合できるように、上方向に徐々に拡開傾斜した形状にすることも可能である。このようにフック部材６のフック部３３が、縦部材１６面から離れるように上方向に徐々に拡開傾斜した形状になるものでは、厚みの薄いもの（ｔ１）から厚いもの（ｔ２）といった異なる種々の重量物Ｈの下部形状に無段階で適合できる。そこで、本発明の設置・移動用アウトリガー１を種々の形状の重量物に取り付けることができる。
【実施例２】
【００４４】
＜油圧構成の駆動機構＞
図１０は実施例２の油圧構成の駆動機構から成る設置・移動用アウトリガーを示す部分断面図である。
駆動機構２は、実施例１のように、ギヤ構造に限定されない。実施例２の設置・移動用アウトリガー４１は、その駆動機構２に油圧構成を用いた。例えば、アウトリガー本体５を構成するシリンダ３内においてロッド４を上下動させる作動油を循環させる。この作動油は、シリンダ３内においてロッド４を上下動させる。作動油をシリンダ３内に吸引、吐出させるためにポンプ４３を用いる。このポンプ４３はレバー４４動作によりプランジャピストンを前後させて作動油を吸引、吐出させる。
【００４５】
このような油圧構成の駆動機構２では、レバー４４を足で踏むとポンプ４３から作動油がシリンダ３内に吸引され、シリンダ３からロッド４を離間させる。逆にシリンダ３内レから作動油を吐出させると、ロッド４をシリンダ３に近接させる。このようにアウトリガー本体５を構成するシリンダ３からロッド４を離間又は近接させることにより、このシリンダ３に取り付けられたフック部材６は上下動する。そこで、フック部材６の上下動に応じて重量物Ｈを上昇させ、又は下降させることができる。
【００４６】
なお、本発明は、設置・移動用アウトリガー装置１の軽量化と共に容易に取り扱えるような簡単な構成にすることで、スタンド７の接地面が傾斜面、凹凸面、滑りやすい又は柔軟な状態でも安定して設置することができ、地面等から重量物の底面との間隔が狭い場合でも重量物Ｈに容易に取り付けられ、これを持ち上げられることができれば、上述した発明の実施の形態に限定されず、本発明の要旨を逸脱しない範囲で種々変更できることは勿論である。
【産業上の利用可能性】
【００４７】
本発明の設置・移動用アウトリガーは、プレハブ家屋、コンテナ、物流用パレットのような重量物を移動させ、それを設置する際に利用することができる。
【符号の説明】
【００４８】
１  設置・移動用アウトリガー
２  駆動機構
３  シリンダ
４  ロッド
５  アウトリガー本体
６  フック部材
７  スタンド
８  ハンドル
１１  第１ギヤ
１２  雄ねじ部
１３  第２ギヤ
１４  雌ねじ部
２２  透孔
２３  板材
１５  フック部
１６  縦部材
３１  滑り止め
３２  キャスター
３３  フック部
４３  ポンプ
４４  レバー
Ｈ  重量物
【図１】
2019014564.tif 000003
【図２】
2019014564.tif 000004
【図３】
2019014564.tif 000005
【図４】
2019014564.tif 000006
【図５】
2019014564.tif 000007
【図６】
2019014564.tif 000008
【図７】
2019014564.tif 000009
【図８】
2019014564.tif 000010
【図９】
2019014564.tif 000011
【図１０】
2019014564.tif 000012